(57)【要約】      （修正有）【課題】装着された手のみによって容易に操作でき、痴漢被害者が容易に痴漢行為者にマーキングすることができるマーキング用指輪を提供する。【解決手段】マーキング用着色剤が充填された着色剤パッド２と、この着色剤パッド２を収容するための、上部が開口した容器３と、この容器３に連結された、開口を開閉するための蓋４と、容器３に接続された、人の指に外嵌しうるリング部５とを備える。少なくとも蓋４が開いたときに、着色剤パッド２の上面が容器３の開口の周壁８の上端より上方に出るように構成されており、容器３に対する蓋４の連結がヒンジ部９によってなされており、蓋４が閉止状態から上方に１２０°以上回動することによって開口を開くように構成されている。【選択図】図１
0003160705.tif 000002
【実用新案登録請求の範囲】
【請求項１】
マーキング用着色剤が充填された着色剤パッドと、
この着色剤パッドを収容するための、上部が開口した容器と、
この容器に連結された、上記開口を開閉するための蓋と、
上記容器に接続された、人の指に外嵌しうるリング部とを備えており、
少なくとも上記蓋が開いたときに、上記着色剤パッドの上面が上記容器の開口の周縁と同一位置かこれより上方に出るように構成されているマーキング用指輪。
【請求項２】
上記容器に対する蓋の連結がヒンジ部によってなされており、この蓋が閉止状態から上方に１２０°以上回動することによって上記開口を開くように構成されている請求項１に記載のマーキング用指輪。
【請求項３】
上記ヒンジ部が、容器における上記リングの延長線上に形成されており、
上記蓋の、ヒンジ部と対向する側に、蓋を開閉するために人の指が係止しうる係止突起が形成されている請求項１又は２に記載のマーキング用指輪。
【請求項４】
上記着色剤が朱肉である請求項１から３のうちのいずれかに記載のマーキング用指輪。
【考案の詳細な説明】
【技術分野】
【０００１】
本考案は、携行が容易であり、且つ、容易に対象へのマーキングを行うことができるマーキング用指輪に関する。
【背景技術】
【０００２】
従来、朱肉を収容するための収容部を備えた携帯用朱肉容器が知られている（実用新案登録第３０９２２２９号公報参照）。この朱肉容器は、指輪型又は腕時計型に形成されたものである。この朱肉容器は、手紙や品物の配達人が、その受取人の便に供するためのものである。また、銀行、証券、保険その他の業種の営業マンが、契約に際して顧客に押印してもらうために用意するものである。
【０００３】
このような朱肉容器の使用態様は、当然、その容器内に印鑑等を挿入押圧し、この印鑑の先端を書面に押圧するものである。従って、印鑑を容器内の朱肉の面に押圧する際に、印鑑が容器外に滑り出て装着者の指やその他のものを汚さないように、容器の外周壁が朱肉の面より高くなっている（上記公報の図１及び図２参照）。
【０００４】
昨今、電車内での痴漢行為の多発、行為者の誤認、冤罪等の問題が取り沙汰されている。このような冤罪によっては仕事や家族を失いかねず、その被害は甚大である。一方、痴漢行為者の確認、識別、捕捉等も容易ではない。電車内に防犯カメラを設置する案も聞かれるが、混雑時にはその有効性に疑問がある。痴漢被害者の簡単な行為により、痴漢行為者の客観的な識別が容易になる手段が望まれている。
【先行技術文献】
【特許文献】
【０００５】
【特許文献１】実用新案登録第３０９２２２９号公報
【考案の概要】
【考案が解決しようとする課題】
【０００６】
本発明は、前述した課題を解決するためになされたものであり、痴漢被害者が容易に痴漢行為者にマーキングをすることによって当該行為者を識別可能にするマーキング用指輪を提供することを目的としている。
【課題を解決するための手段】
【０００７】
本考案に係るマーキング用指輪は、
マーキング用着色剤が充填された着色剤パッドと、
この着色剤パッドを収容するための、上部が開口した容器と、
この容器に連結された、上記開口を開閉するための蓋と、
上記容器の下部に接続された、人の指に外嵌しうるリング部とを備えており、
少なくとも上記蓋が開いたときに、上記着色剤パッドの上面が上記容器の開口の周縁と同一位置かこれより上方に出るように構成されている。
【０００８】
かかる構成によれば、通常時は容器が手の甲側に位置するように、すなわち、通常の指輪と同様に手指（例えば人差し指、中指、薬指）に装着することができる。そして、マーキングを意図したとき、指輪を装着している手の親指によって容器を掌がわに回転移動させる。次いで、その親指で蓋を開いて着色剤パッドを露出させる。そのまま、その掌を対象に押し当てれば、着色剤パッドがその対象に押圧され、容易にマーキングを施される。対象に対して容易にマーキングを施す観点からは、着色剤パッドの上面が上記容器の開口の周縁より上方に出るほうが好ましい。
【０００９】
上記容器に対する蓋の連結がヒンジ部によってなされており、この蓋が閉止状態から上方に１２０°以上回動することによって上記開口を開くように構成されるのが好ましい。一層容易に対象にマーキングを施すことができるからである。
【００１０】
上記ヒンジ部が、容器における上記リングの延長線上に形成されており、上記蓋の、ヒンジ部と対向する側に、蓋を開閉するために人の指が係止しうる係止突起が形成されるのが好ましい。指輪を装着した手の親指により、容易に蓋を開くことができるからである。
【００１１】
上記着色剤が朱肉であるのが好ましい。容易には消し去ることができないからである。
【考案の効果】
【００１２】
本考案に係るマーキング用指輪によれば、両手を使う必要なく、この指輪を装着している手のみによって容易にマーキングを施すことができる。
【図面の簡単な説明】
【００１３】
【図１】図１は、本考案の一実施形態に係るマーキング用指輪の、蓋が開いた状態を示す斜視図である。
【図２】図２は、図１のマーキング用指輪の、蓋が閉じた状態を示す部分斜視図である。
【図３】図３は、図１のマーキング用指輪のIII−III線断面図である。
【図４】図４は、図１のマーキング用指輪の使用状態の一例を示す斜視図である。
【考案を実施するための形態】
【００１４】
以下、適宜図面が参照されつつ、好ましい実施形態に基づいて本考案が詳細に説明される。
【００１５】
図１から図３にはマーキング用指輪（以下、単に指輪ともいう）１が示されている。このマーキング用指輪１は、マーキング用着色剤が充填された着色剤パッド２と、この着色剤パッド２を収容するための容器３と、この容器３の上部開口を開閉するための蓋４と、容器３の下面に接続されたリング部５とを備えている。上記着色剤としては、好ましくは朱肉が採用される。容易には消し去ることができないからである。また、朱肉の朱色はよく目立つからである。もちろん、朱肉以外の各種インクも採用されうる。この場合、朱色以外の色も採用されうる。
【００１６】
着色剤パッド２としては、市販の朱肉台やインクパッドと同じものが採用されうる。すなわち、多くの綿状の繊維群が布によって圧縮、保持されたものである。フェルトやスポンジが用いられてもよい。
【００１７】
本実施形態では容器３は有底円筒形を呈している。蓋４も浅い有底円筒形を呈している。もちろん、いずれ３、４も有底円筒形に限定されうることはなく、半休形、部分球形、有底角筒形等も採用されうる。しかし、指輪として不自然でない形状が好ましい。容器３の上端近傍の内周面には、蓋４の内周面が嵌着しうる小径部６及び段差部７が形成されている。
【００１８】
上記着色剤パッド２は、蓋４が開いた状態では、その上面が容器３の周壁８の上端縁（開口の周縁）と同一位置か、又は、それより上方に出る形状寸法にされている。着色剤パッド２の上面の形状が、部分球状等、その中央部が上方に膨出している場合は、その中央部が容器３の周壁８の上端縁と同一位置か、又は、それより上方に出ておればよい。要するに、蓋４が開いた状態の容器３の上面を対象に接触させたときに、容易に対象に朱肉が付着しうるように、着色剤パッド２の上面が露出すればよいのである。
【００１９】
リング部５には装着者の手指が挿通される。リング部５の内径は、指輪１が装着された指の回りに容易に回動しうるような大きさにされるのが好ましい。リング部５は、金属製でも合成樹脂製でもよい。リング部５の形状は図示のような円環状には限定されない。例えば、前述した実用新案登録第３０９２２２９号公報の図１に示すような、円環の一部に切断部が設けられたものであってもよい。また、容器３と一体に形成されたものでもよく、容器３に着脱可能な別体として形成されたものでもよい。
【００２０】
上記蓋４は、容器３の周壁８の上端に連結されている。本実施形態では、容器３と蓋４とが一体に合成樹脂から形成されている。リング部５も容器３と一体に合成樹脂から形成されてもよい。蓋４の上面は、明るい色彩の塗装や、いわゆるラインストーン等によって装飾Ｄが施されてもよい。この指輪１がアクセサリーとしての指輪であるように見えるからである。容器３と蓋４とは、幅狭く且つ薄い帯状に形成されて可撓性を備えたヒンジ部９によって連結されている。この構成によれば、蓋４は、容器３の上部開口を閉じた位置から上方に１８０°以上回動して上記開口を開くことができる。この状態で、着色剤パッド２の上面を対象に接触させようとしたとき、蓋４が障害になることはない。もちろん、蓋４の開度が１２０°程度であっても、着色剤パッド２の上面は、蓋４に邪魔されずに容易に対象に接触することができる。ヒンジ部９が、上記のとおり容器３と蓋４と一体に形成された可撓性部分から構成されている場合、自己の持つ弾力性により、蓋４が弾力的に開くので便利である。
【００２１】
ヒンジ部９は、上記したような容器３及び蓋４と一体に形成された帯状部には限定されない。例えば、容器３及び蓋４それぞれに突設された取り付けブラケット同士を、ピンによって相互に回動自在に接続するヒンジであってもよい。この場合、上記ピンに捻りばねを装着し、蓋４が弾力的に開く方向に付勢されているのが好ましい。
【００２２】
ヒンジ部９は、容器３の周壁８の一カ所に形成されている。ヒンジ部９の形成位置は、リング部５の長手方向の延長線上にある。蓋４の外周面における、ヒンジ部９とは反対側（１８０°方向）の位置に、手指やその爪が係止しうる係止突起１０が突設されている。蓋４が手指によって容易に開かれるようにするためである。
【００２３】
蓋４の内周面における、上記係止突起１０と同じ周方向の位置に、係合突起１１が内方に向けて突設されている。容器３の小径部６における、上記係合突起１１と対向する位置には、この係合突起１１が係合しうる係合凹部１２が形成されている。この構成は、蓋４が容器３の開口を全閉したとき、係合突起１１と係合凹部１２とがパチンと係合して開口の全閉状態が維持されるためのものである。
【００２４】
以下、図４を参照しつつ、上記係止突起１０と、係合突起１１及び係合凹部１２とが、いずれもリング部５の長手方向の延長線上に形成されている理由が説明される。この指輪１は、通常時はその容器３が手の甲側に位置するように、すなわち、通常の指輪と同様の姿勢で手指（例えば中指）に装着される。そして、マーキングを意図したとき、指輪１を装着している手の親指や人差し指によって容器を掌側に回転移動させる。次いで、その親指で蓋４を開いて着色剤パッド２を露出させる。このように、掌側に位置した蓋４を親指で開くとき、図示のごとく、係止突起１０が、蓋４の人差し指側における、リング部５の長手方向の延長線上に位置しておれば便利である。係止突起１０がその位置にあるとすれば、当然に係合突起１１及び係合凹部１２も周方向の同一位置にあるべきである。そして、その掌を開いて対象に押し当てれば、着色剤パッド２がその対象に押圧され、容易にマーキングを施すことができる。このように、この指輪１は、それが装着された片方の手のみで容易に操作することができる。
【００２５】
以上説明された実施形態では、容器３と蓋４とは合成樹脂から形成されているが、かかる構成には限定されない。例えば、金属製や木製であってもよい。
【産業上の利用可能性】
【００２６】
以上説明されたマーキング用指輪は、痴漢行為を行う者の手に識別マーキングを施すのに有用である。
【符号の説明】
【００２７】
１・・・指輪
２・・・着色剤パッド
３・・・容器
４・・・蓋
５・・・リング部
６・・・小径部
７・・・段差部
８・・・（容器の）周壁
９・・・ヒンジ部
１０・・・係止突起
１１・・・係合突起
１２・・・係合凹部
Ｄ・・・装飾
【図１】
0003160705.tif 000003
【図２】
0003160705.tif 000004
【図３】
0003160705.tif 000005
【図４】
0003160705.tif 000006